(57)【特許請求の範囲】
【請求項１】
区画毎に設定されている目標使用電力量を各々の区画に識別可能に対応付けられた在籍者の人数で除した前記在籍者毎の個人目標使用電力量が、前記在籍者の識別情報とともに記憶された記憶部と、
各々の前記区画における使用電力量を各々計測して前記区画毎の使用電力量を求める使用電力量計測手段と、
各々の前記区画に在室している在籍者の識別情報を取得する在室在籍者情報取得手段と、
前記在室在籍者情報取得手段が識別情報を取得した在籍者の在室状況を取得して前記在室者の在室期間を求める在室状況取得手段と、
前記区画毎に在室している在籍者の人数を求める在室在籍者人数算出手段と、
設定されている単位時間毎に、前記区画に在室している総在籍者数で前記使用電力量計測手段で計測されている前記区画の使用電力量を除した値を、前記区画に在室している在籍者の前記単位時間毎の個人使用電力量として算出し、算出した個人使用電力量を、前記在室状況取得手段により取得された前記在籍者が前記区画に在室していた期間で積算して前記在籍者の総個人使用電力量として算出し、算出した総個人使用電力量を前記在室在籍者情報取得手段が取得した識別情報に対応づける個人使用電力量算出手段と、
前記個人使用電力量算出手段が求めた総個人使用電力量が、同じ識別情報に対応して前記記憶部に記憶されている個人目標使用電力量を超過することを判断する使用電力量超過判断手段と、
前記使用電力量超過判断手段により総個人使用電力量が前記個人目標使用電力量を超過していることが判断された識別情報で識別される在籍者に警告を通知する警告通知手段と
を少なくとも備えることを特徴とする電力使用管理システム。
【請求項２】
請求項１記載の電力使用管理システムにおいて、
前記警告通知手段が警告を通知する対象となる在籍者の識別情報を、対応する総個人使用電力量とともに表示する表示手段を備えることを特徴とする電力使用管理システム。
【請求項３】
区画毎に設定されている目標使用電力量を、各々の区画に識別可能に対応付けられた在籍者の人数で除した前記在籍者毎の個人目標使用電力量を、前記在籍者の識別情報とともに記憶する記憶ステップと、
各々の前記区画における使用電力量を各々計測して前記区画毎の使用電力量を求める使用電力量計測ステップと、
各々の前記区画に在室している在籍者の識別情報を取得する在室在籍者情報取得ステップと、
前記在室在籍者情報取得ステップで識別情報を取得した在籍者の在室状況を取得して前記在室者の在室期間を求める在室状況取得ステップと、
前記区画毎に在室している在籍者の人数を求める在室在籍者人数算出ステップと、
設定されている単位時間毎に、前記区画に在室している総在籍者数で前記使用電力量計測ステップで計測された前記区画の使用電力量を除した値を、前記区画に在室している在籍者の前記単位時間毎の個人使用電力量として算出し、算出した個人使用電力量を、前記在室状況取得ステップで取得された前記在籍者が前記区画に在室していた期間で積算して前記在籍者の総個人使用電力量として算出し、算出した総個人使用電力量を前記在室在籍者情報取得ステップで取得した識別情報に対応づける個人使用電力量算出ステップと、
前記個人使用電力量算出ステップが求めた個人使用電力量が、同じ識別情報に対応して前記記憶ステップで記憶された個人目標使用電力量を超過することを判断する使用電力量超過判断ステップと、
前記使用電力量超過判断ステップで総個人使用電力量が前記個人目標使用電力量を超過していることが判断された識別情報で識別される在籍者に警告を通知する警告通知ステップと
を少なくとも備えることを特徴とする電力使用管理方法。
【発明の詳細な説明】
【技術分野】
【０００１】
本発明は、個人毎の使用電力量を管理する電力使用管理システムおよび方法に関する。
【背景技術】
【０００２】
従来、施設の共用区域や住宅で使用された電力の料金は、利用者毎に課金されている。例えば、施設毎に接地されて使用された電力量を計測する親装置と、各施設内で共用区域単位に接地されて使用された電力を計測する子装置とを備えるシステムで課金がなされている（特許文献１参照）。このシステムでは、利用者が共用区域に入場した時刻、退場した時刻を取得し、計測した電力量および利用者の滞在時間において使用電力が変化した変化量および人数により、利用者の消費電力を算出し、利用者毎に電気料金を課金している。このようにすることで、個人の省エネルギー意識を高め、炭酸ガス排出量の抑制を図っている。
【先行技術文献】
【特許文献】
【０００３】
【特許文献１】特開２００９−２５２１１１号公報
【発明の概要】
【発明が解決しようとする課題】
【０００４】
しかしながら、上述した技術では、利用者毎に課金がなされるが、これは平均した値をもとにしているものであり、利用者を特定して利用者毎に使用電力量を計測しているわけではない。このため、特定の利用者がより多く電力を消費している状態が把握できないという問題がある。
【０００５】
本発明は、以上のような問題点を解消するためになされたものであり、利用者毎に消費している電力が把握できるようにすることを目的とする。
【課題を解決するための手段】
【０００６】
本発明に係る電力使用管理システムは、区画毎に設定されている目標使用電力量を、各々の区画に識別可能に対応付けられた在籍者の人数で除した在籍者毎の個人目標使用電力量が、在籍者の識別情報とともに記憶された記憶部と、各々の区画における使用電力量を各々計測して区画毎の使用電力量を求める使用電力量計測手段と、各々の区画に在室している在籍者の識別情報を取得する在室在籍者情報取得手段と、在室在籍者情報取得手段が識別情報を取得した在籍者の在室状況を取得して在室者の在室期間を求める在室状況取得手段と、区画毎に在室している在籍者の人数を求める在室在籍者人数算出手段と、設定されている単位時間毎に、区画に在室している総在籍者数で使用電力量計測手段で計測されている区画の使用電力量を除した値を、区画に在室している在籍者の単位時間毎の個人使用電力量として算出し、算出した個人使用電力量を、在室状況取得手段により取得された在籍者が区画に在室していた期間で積算して在籍者の総個人使用電力量として算出し、算出した総個人使用電力量を在室在籍者情報取得手段が取得した識別情報に対応付ける個人使用電力量算出手段と、個人使用電力量算出手段が求めた総個人使用電力量が、同じ識別情報に対応して記憶部に記憶されている個人目標使用電力量を超過することを判断する使用電力量超過判断手段と、使用電力量超過判断手段により総個人使用電力量が個人目標使用電力量を超過していることが判断された識別情報で識別される在籍者に警告を通知する警告通知手段とを少なくとも備える。
【０００７】
上記電力使用管理システムにおいて、警告通知手段が警告を通知する対象となる在籍者の識別情報を、対応する総個人使用電力量とともに表示する表示手段を備えるようにしてもよい。
【０００８】
本発明に係る電力使用管理システム方法は、区画毎に設定されている目標使用電力量を、各々の区画に識別可能に対応付けられた在籍者の人数で除した在籍者毎の個人目標使用電力量を、在籍者の識別情報とともに記憶する記憶ステップと、各々の区画における使用電力量を各々計測して区画毎の使用電力量を求める使用電力量計測ステップと、各々の区画に在室している在籍者の識別情報を取得する在室在籍者情報取得ステップと、在室在籍者情報取得ステップで識別情報を取得した在籍者の在室状況を取得して在室者の在室期間を求める在室状況取得ステップと、区画毎に在室している在籍者の人数を求める在室在籍者人数算出ステップと、設定されている単位時間毎に、区画に在室している総在籍者数で使用電力量計測ステップで計測された区画の使用電力量を除した値を、区画に在室している在籍者の単位時間毎の個人使用電力量として算出し、算出した個人使用電力量を、在室状況取得ステップで取得された在籍者が区画に在室していた期間で積算して在籍者の総個人使用電力量として算出し、算出した総個人使用電力量を在室在籍者情報取得ステップで取得した識別情報に対応付ける個人使用電力量算出ステップと、個人使用電力量算出ステップが求めた個人使用電力量が、同じ識別情報に対応して記憶ステップで記憶された個人目標使用電力量を超過することを判断する使用電力量超過判断ステップと、使用電力量超過判断ステップで総個人使用電力量が個人目標使用電力量を超過していることが判断された識別情報で識別される在籍者に警告を通知する警告通知ステップとを少なくとも備える。
【発明の効果】
【０００９】
以上説明したことにより、本発明によれば、利用者毎に消費している電力が把握できるようになるという優れた効果が得られる。
【図面の簡単な説明】
【００１０】
【図１】図１は、本発明の実施の形態における電力使用管理システムの構成を示す構成図である。
【図２】図２は、本発明の実施の形態における電力使用管理方法を説明するためのフローチャートである。
【発明を実施するための形態】
【００１１】
以下、本発明の実施の形態について図を参照して説明する。図１は、本発明の実施の形態における電力使用管理システムの構成を示す構成図である。このシステムは、記憶部１０１，使用電力量計測部１０２，在室在籍者情報取得部１０３，在室状況取得部１０４，在室在籍者人数算出部１０５，個人使用電力量算出部１０６，使用電力量超過判断部１０７，警告通知部１０８，および表示部１０９を備える。
【００１２】
記憶部１０１には、区画毎に設定されている目標使用電力量を各々の区画に識別可能に対応付けられた在籍者（利用者）の人数で除した在籍者毎の個人目標使用電力量が、在籍者の識別情報とともに記憶されている。
【００１３】
例えば、以下の表１に示すように、区画毎に目標使用電力量が設定されている。
【００１４】
【表１】
0005845116.tif 000002
【００１５】
また、以下の表２に示すように、在籍者毎の個人目標使用電力量が、在籍者の識別情報とともに記憶されている。表２には、在籍者の識別情報に加え、所属、メールアドレス電話番号、在籍区画、許可区画なども記憶されている例を示している。
【００１６】
【表２】
0005845116.tif 000003
【００１７】
使用電力量計測部１０２は、各々の区画における使用電力量を各々計測して区画毎の使用電力量を求める。
【００１８】
在室在籍者情報取得部１０３は、各々の区画に在室している在籍者の識別情報を取得する。在室在籍者情報取得部１０３は、例えば、よく知られている入退室管理システムから構成され、区画毎に、出入り口の外側および内側に各々設置されている読み取り装置を備える。各読み取り装置は、例えば、通過しようとする利用者が所有しているＩＣカードより、個人識別ＩＤを読み取る。このようにして読み取られた個人識別情報を、在室在籍者情報取得部１０３が取得する。
【００１９】
なお、入退室管理システムでは、外側に設置された読み取り装置において個人識別ＩＤが読み取られると、記憶されている個人識別ＩＤと照合し、一致した個人識別ＩＤの許可区画情報と、読み取り装置が設置されている区画とを照合する。照合の結果、一致した場合に、入室が許可され、例えば、出入り口のドアが開放可能な状態となる。読み取られた個人識別ＩＤの許可区画情報に、当該区画に一致する情報が含まれていない場合、ドアは開けることができない。このような入退室管理システムを用いることで、各区画には、入室が許可されている対象者（在籍者など）のみが、入室が可能となる。
【００２０】
また、上述した入退室制御において、入室が許可されて出入り口のドアが開放可能な状態となり、対象の人（在籍者）がドアを開け閉めして入室すると、入力管理システムは、当該個人識別ＩＤに対応付けて入室時刻を記憶する。一方、内側に設置された読み取り装置において個人識別ＩＤが読み取られ、対象の人（在籍者）がドアを開け閉めして退室すると、入力管理システムは、読み取られた個人識別ＩＤに対応付けて退室時刻を記憶する。
【００２１】
在室状況取得部１０４は、在室在籍者情報取得部１０３が識別情報を取得した在籍者の在室状況を取得して在室者の在室期間を求める。また、在室在籍者人数算出部１０５は、区画毎に在室している在籍者の人数を求める。在室状況取得部１０４および在室在籍者人数算出部１０５も、例えば、上述した入退室管理システムから構成されている。上述したように、入退室管理システムは、識別情報を取得した在籍者の入室時刻および退出時刻を管理しているので、入室時刻と退出時刻とにより、在室期間を求めることができる。また、入退室管理システムは、該当する区画における在籍者の入出力を全て検出しているので、入室時刻を記憶した個人識別ＩＤの数（入室人数）より、退室時刻を記憶した個人識別ＩＤの数（退室人数）を差し引くことで、在室している在籍者の人数を求めることができる。
【００２２】
個人使用電力量算出部１０６は、次に示すことにより、在室在籍者情報取得部１０３が取得した識別情報に対応付けて、在籍者毎に総個人使用電力量を算出する。まず、設定されている単位時間毎に、使用電力量計測部１０２で計測されている区画の使用電力量を、区画に在室している総在籍者数で除した値を算出する。例えば、３０分毎に、この算出を行う。この値を、区画に在室している在籍者の単位時間毎の個人使用電力量とする。この算出は、在籍者毎に行われ、また、各在籍者について、在室している期間内に、設定されている単位時間（例えば３０分）毎に行われる。次に、在籍者毎に、在室していた時間内において単位時間毎に算出された個人使用電力量を積算し、在籍者の総個人使用電力量とする。
【００２３】
使用電力量超過判断部１０７は、上述したようにすることで個人使用電力量算出部１０６が求めた総個人使用電力量が、同じ識別情報に対応して記憶部１０１に記憶されている個人目標使用電力量を超過することを判断する。警告通知部１０８は、使用電力量超過判断部１０７により総個人使用電力量が個人目標使用電力量を超過していることが判断された識別情報で識別される在籍者に警告を通知する。例えば、記憶部１０１に記憶されている在籍者の識別情報に対応付けられているメールアドレスに対し、警告が示されたメールを送信する。また、記憶部１０１に記憶されている在籍者の識別情報に対応付けられているメールアドレスに対し、帰宅を促すメールを送信する。また、警告通知部１０８が警告を通知する対象となる在籍者の識別情報を、対応する総個人使用電力量とともに、表示部１０９に表示してもよい。例えば、個人使用電力量の推移をグラフ化して表示してもよい。
【００２４】
次に、本発明の実施の形態における電力使用管理システムの動作（電力使用管理方法）について、図２のフローチャートを用いて説明する。
【００２５】
まず、ステップＳ２０１で、記憶部１０１に、区画毎に設定されている目標使用電力量を、各々の区画に識別可能に対応付けられた在籍者の人数で除した在籍者毎の個人目標使用電力量を、在籍者の識別情報とともに記憶する（記憶ステップ）。
【００２６】
次に、ステップＳ２０２で、使用電力量計測部１０２により、各々の区画における使用電力量を各々計測して区画毎の使用電力量を求める（使用電力量計測ステップ）。次に、ステップＳ２０３で、在室在籍者情報取得部１０３が、各々の区画に在室している在籍者の識別情報を取得する（在室在籍者情報取得ステップ）。次に、ステップＳ２０４で、在室状況取得部１０４が、在室在籍者情報取得部１０３により識別情報が取得された在籍者の在室状況を取得して在室者の在室期間を求める（在室状況取得ステップ）。次に、ステップＳ２０５で、在室在籍者人数算出部１０５が、区画毎に在室している在籍者の人数を求める（在室在籍者人数算出ステップ）。
【００２７】
以上のようにして、在籍者の在室状況や在室人数などが取得されると、個人使用電力量算出部１０６が、在室在籍者情報取得部１０３が取得した識別情報に対応付けて、在籍者毎に総個人使用電力量を算出する（個人使用電力量算出ステップ）。まず、設定されている単位時間毎に、使用電力量計測部１０２で計測されている区画の使用電力量を、区画に在室している総在籍者数で除した値を算出する。この値を、区画に在室している在籍者の単位時間毎の個人使用電力量とする。この算出は、在籍者毎に行われ、また、各在籍者について、在室している期間内に、設定されている単位時間毎に行われる。次に、在籍者毎に、在室していた時間内において単位時間毎に算出された個人使用電力量を積算し、在籍者の総個人使用電力量とする。
【００２８】
以上のように総個人使用電力量が求められると、ステップＳ２０７で、個人使用電力量算出部１０６が求めた個人使用電力量が、同じ識別情報に対応して記憶部１０１に記憶されている個人目標使用電力量を超過することを判断する（使用電力量超過判断ステップ）。
【００２９】
ステップＳ２０７で、総個人使用電力量が個人目標使用電力量を超過していることが判断されると（ステップＳ２０７のｙ）、ステップＳ２０８で、警告通知部１０８が、算出された総個人使用電力量に対応する識別情報で識別される在籍者に警告を通知する（警告通知ステップ）。一方、ステップＳ２０７で、総個人使用電力量が個人目標使用電力量を超過していないことが判断されると（ステップＳ２０７のｎ）、ステップＳ２０２に戻り、前述したステップＳ２０２〜ステップＳ２０７を繰り返す。また、警告を発した後、終了の指示がなされるまで（ステップＳ２０９）、ステップＳ２０２〜ステップＳ２０８を繰り返す。
【００３０】
以上に説明したように、本発明によれば、在籍者の在室状況より在籍者毎に使用電力量を求めるようにしたので、利用者毎に消費している電力が把握できるようになる。この結果、在籍者の各々における節電や省エネルギー意識をより高めることができるようになる。
【００３１】
なお、本発明は以上に説明した実施の形態に限定されるものではなく、本発明の技術的思想内で、当分野において通常の知識を有する者により、多くの変形および組み合わせが実施可能であることは明白である。例えば、上述した電力使用管理システムは、ＣＰＵと主記憶装置と外部記憶装置とネットワーク接続装置となどを備えたコンピュータ機器であり、主記憶装置に展開されたプログラムによりＣＰＵが動作することで、上述した各機能が実現される。また、各機能は、複数のコンピュータ機器に分散させるようにしてもよい。
【００３２】
１０１…記憶部、１０２…使用電力量計測部、１０３…在室在籍者情報取得部、１０４…在室状況取得部、１０５…在室在籍者人数算出部、１０６…個人使用電力量算出部、１０７…使用電力量超過判断部、１０８…警告通知部、１０９…表示部。
【図１】
0005845116.tif 000004
【図２】
0005845116.tif 000005